(57)【要約】【課題】接点型火災感知器において、個々を識別できるように改良された接点型火災感知器を提供する。【解決手段】２線式感知器回線を短絡して発報する接点型火災感知器において、接点型火災感知器の個々を識別するアドレス情報を、感知器回線を介して火災受信機に送信する通信手段を有する発報制御部を備え、発報制御部は、上記感知部が上記監視対象の異常を感知したときには、通信手段によって感知器回線にアドレス情報を送信した後に、制御接点を駆動して、感知器回線を短絡させる構成にしている【選択図】図１
2005215738.tif 000002
【特許請求の範囲】
【請求項１】
２線式の感知器回線に接続され、感知部が異常を感知したときに、この感知器回線を制御接点によって短絡させて発報する接点型火災感知器において、
少なくとも上記火災感知器の個々を識別するアドレス情報を、上記感知器回線を介して防災受信機に送信する通信手段を有する発報制御部を備え、
上記発報制御部は、上記感知部が上記監視対象の異常を感知したときには、上記通信手段によって、上記感知器回線に上記アドレス情報を送信した後に、上記制御接点を駆動して、上記感知器回線を短絡させる構成にしている接点型火災感知器。
【請求項２】
２線式の感知器回線に接続され、感知部が異常を感知したときに、この感知器回線を制御接点によって短絡させて発報する接点型火災感知器において、
少なくとも上記火災感知器の個々を識別するアドレス情報を、上記感知器回線を介して防災受信機に送信する通信手段を有する発報制御部を備え、
上記発報制御部は、上記感知部が監視対象の異常を感知したときには、上記通信手段によって、上記感知器回線へ割り込み信号を送信し、その後に防災受信機から上記感知器回線を通じて送信されたポーリング信号を受信したときには、上記アドレス情報を返信し、更に上記感知器回線から発報許可信号を受信したときには、上記制御接点を駆動して、上記感知器回線を短絡させる構成にしている接点型火災感知器。
【請求項３】
請求項１、２のいずれかにおいて、
上記発報制御部は、アドレス設定スイッチを更に備え、
上記アドレス設定スイッチを操作することによって、上記アドレス情報が変更設定されるようになっている接点型火災感知器。
【請求項４】
請求項１の接点型火災感知器に、火災受信機を加えて構成される防災システムであって、
上記火災受信機は、
上記感知器回線を介して上記接点型火災感知器が送信したアドレス情報を含んだ信号を受信する通信手段と、
上記火災感知器の発報状況を表示する表示部と、操作を受け付ける操作部とを備えた表示／操作部と、
上記通信手段が、発報した接点型火災感知器から上記アドレス情報を受信したときには、そのアドレス情報を送信して来た接点型火災感知器を判別して、その接点型火災感知器を示す情報を上記表示／操作部に表示させる制御手段とを備えている防災システム。
【請求項５】
請求項２の接点型火災感知器に、火災受信機を加えて構成される防災システムであって、
上記火災受信機は、
上記感知器回線を介して上記接点型火災感知器が送信した割り込み信号やアドレス情報を含んだ信号を受信して、ポーリング信号を送信する通信手段と、
接点型火災感知器の発報状況を表示する表示部と、
操作を受け付ける操作部とを備えた表示／操作部と、
上記通信手段が、感知器回線を介して上記接点型火災感知器のいずれかから割り込み信号を受信したときには、その感知器回線にポーリング信号を送信し、
このポーリング信号に応答した接点型火災感知器からアドレス情報を受信したときには、発報許可信号をそのアドレス情報を送信した上記接点型火災感知器へ送信する共に、そのアドレス情報を送信してきた接点型火災感知器を判別して、その接点型火災感知器を示す情報を上記表示／操作部に表示させる制御手段とを備えている防災システム。
【発明の詳細な説明】
【技術分野】
【０００１】
本発明は、２線式の感知器回線を介して火災受信機に接続される火災感知器の改良に関するものである。
【背景技術】
【０００２】
火災受信機には、感知器や発信機からの火災信号の受信方式によって、Ｐ型とＲ型があり、Ｐ型火災受信機とは、感知器や発信機の制御接点が閉じ、感知器回線を短絡することにより、電流が流れるかどうかで火災信号を直接受信するものである。特に比較的小規模な建物にはＰ型２級火災受信機が設置される場合が多く、このＰ型２級火災受信機に接続できる感知器回線は最大５回線までと決められている。しかしながら、そのような小規模な建物でも、発報した感知器を識別可能にして、部屋単位の火災監視を行いたいという強い要望があった。
【０００３】
なお、発報した感知器を識別する技術思想として、次の特許文献には、受信機に火災発生場所を表す自己アドレスと火災状況を表す物理量を送信する感知器が開示されている。
【特許文献１】特開昭５４−１１５１００号
【発明の開示】
【発明が解決しようとする課題】
【０００４】
ところが、上記文献に記載されている自動火災報知システムでは、通常の受信機と感知器からの情報を処理する受信機との２つの受信機が使われており、更に後者の受信機と感知器とはクロック線や信号線を介して接続されているので、感知器回線の信号線数が多く、設置作業の手間も多いという問題があった。
【０００５】
そこで本発明は、従来同様の２線式の感知器回線を利用しながら、更に個々を識別できるように改良された火災感知器と、その感知器を接続して形成される防災システムを提案する。
【課題を解決するための手段】
【０００６】
上記の課題を解決するために、請求項１では第１の発明として、２線式の感知器回線に接続され、感知部が異常を感知したときに、この感知器回線を制御接点によって短絡させて発報する接点型火災感知器において、少なくとも上記火災感知器の個々を識別するアドレス情報を、上記感知器回線を介して火災受信機に送信する通信手段を有する発報制御部を備え、上記発報制御部は、上記感知部が上記監視対象の異常を感知したときには、上記通信手段によって、上記感知器回線に上記アドレス情報を送信した後に、上記制御接点を駆動して、上記感知器回線を短絡させる構成にしている接点型火災感知器を提案する。
【０００７】
そして請求項２では第２の発明として、２線式の感知器回線に接続され、感知部が異常を感知したときに、この感知器回線を制御接点によって短絡させて発報する接点型火災感知器において、少なくとも上記接点型火災感知器の個々を識別するアドレス情報を、上記感知器回線を介して火災受信機に送信する通信手段を有する発報制御部を備え、上記発報制御部は、上記感知部が監視対象の異常を感知したときには、上記通信手段によって、上記感知器回線へ割り込み信号を送信し、その後に火災受信機から上記感知器回線を通じて送信されたポーリング信号を受信したときには、上記アドレス情報を返信し、更に上記感知器回線から発報許可信号を受信したときには、上記制御接点を駆動して、上記感知器回線を短絡させる構成にしている接点型火災感知器を提案する。
【０００８】
請求項３では、請求項１、２のいずれかにおいて、上記発報制御部は、アドレス設定スイッチを更に備え、上記アドレス設定スイッチを操作することによって、上記アドレス情報が変更設定されるようになっている接点型火災感知器を提案する。
【０００９】
次いで請求項４では、第１の発明を用いた防災システムを提案しており、請求項１の接点型火災感知器に、火災受信機を加えて構成される防災システムであって、上記火災受信機は、上記感知器回線を介して上記接点型火災感知器が送信したアドレス情報を含んだ信号を受信する通信手段と、上記接点型感知器の発報状況を表示する表示部と、操作を受け付ける操作部とを備えた表示／操作部と、上記通信手段が、発報した接点型火災感知器から上記アドレス情報を受信したときには、そのアドレス情報を送信して来た接点型火災感知器を判別して、その接点型火災感知器を示す情報を上記表示／操作部に表示させる制御手段とを備えている防災システムを提案する。
【００１０】
請求項５では、第２の発明を用いた防災システムを提案しており、請求項２の接点型火災感知器に、火災受信機を加えて構成される防災システムであって、上記火災受信機は、上記感知器回線を介して上記接点型火災感知器が送信した割り込み信号やアドレス情報を含んだ信号を受信して、ポーリング信号を送信する通信手段と、感知器の発報状況を表示する表示部と、操作を受け付ける操作部とを備えた表示／操作部と、上記通信手段が、感知器回線を介して上記接点型火災感知器のいずれかから割り込み信号を受信したときには、その感知器回線にポーリング信号を送信し、このポーリング信号に応答した接点型火災感知器からアドレス情報を受信したときには、発報許可信号をそのアドレス情報を送信した上記接点型火災感知器へ送信する共に、そのアドレス情報を送信してきた接点型火災感知器を判別して、その接点型火災感知器を示す情報を上記表示／操作部に表示させる制御手段とを備えている防災システムを提案する。
【発明の効果】
【００１１】
請求項１、４によれば、火災感知器は２線式の感知器回線の信号線間を短絡して発報する前に、火災感知器の個々を識別させるアドレス情報を送信し、これに対応して、火災受信機は、そのアドレス情報を受信してこれを送信した火災感知器を特定して、表示／操作部に表示する。従って、２線式の感知器回線による防災システムであっても、発報した火災感知器を知ることが可能である。
【００１２】
請求項２、５によれば、火災感知器は２線式の感知器回線の信号線間を短絡して発報する前に割り込み信号を送信し、火災受信機は、これを受信してポーリングを行い、割り込み信号を送信した火災感知器を特定して表示／操作部に表示するので、２線式の感知器回線による防災システムであっても、発報した火災感知器を知ることが可能である。
【００１３】
請求項３によれば、火災感知器のアドレス情報をアドレス設定スイッチにより変更設定できるので、施工時にそのアドレス情報を簡単に設定できる。
【発明を実施するための最良の形態】
【００１４】
本発明の最良の実施形態を、火災感知器と火災受信機とで形成される防災システムを例に、以下で詳細に説明する。
【実施例１】
【００１５】
図１は、本発明の一例である火災感知器１の基本構成を示している。火災感知器１は、図に示すとおり、感知器回線Ｌの信号線間を短絡させて発報するための制御接点１１と、これを駆動して発報させる発報制御部１２と、熱、煙や炎などの監視対象Ｓの異常を感知する感知部の１つとして、火災の発生を検知する感知部１３とを備えている。
【００１６】
この発報制御部１２は、感知器回線Ｌを介し火災受信機（不図示）と通信するための通信手段１２１と、ＣＰＵ１２３と、火災感知器１の個々を識別するアドレス情報１２２やＣＰＵ１２３が制御接点１１を制御するために実行するソフトウェアなどを蓄積したメモリ（不図示）とを備えたマイコンによって形成されている。
【００１７】
通信手段１２１には通信用の制御接点（不図示）を設けてもよいが、制御接点１１を利用してもよい。いずれであっても、この通信手段１２１は、ＣＰＵ１２３が通信用の制御接点、あるいは制御接点１１を通信内容に応じて駆動し、感知器回線Ｌの信号線間を所定のフォーマットに従って短絡させた電流パルス信号を送出することによって通信する。
ＣＰＵ１２３は、感知部１３によって、火災の発生を検知したときには、通信手段１２１によって、感知器回線Ｌにアドレス情報１２２を送信した後に制御接点１１を駆動して、感知器回線Ｌの信号線間を短絡させて発報するソフトウェアを実行することにより、発報制御部１２としての機能を発揮する。
【００１８】
ここで、制御接点１１、感知部１３、及びマイコンは、感知器回線Ｌを介して供給される電源で動作させているが、それらを内蔵電池で動作させるような構成とすることもできる。
【００１９】
更に、アドレス情報１２２は必ずしもメモリに蓄積されている必要はなく、例えばＣＰＵ１２３がソフトウェア処理に従って、ディップスイッチなどで形成されたアドレス設定スイッチ１４の設定状態を、マイコンに備わる入力ポート（不図示）から取得し、アドレス情報１２２とするような構成も可能である。この構成の場合には、アドレス設定スイッチ１４を操作することによって、アドレス情報１２２が変更設定される。
【００２０】
図２は、上記の火災感知器１を接続する火災受信機２の基本構成と、これらによって構成された防災システムを示している。火災受信機２から導出されている感知器回線Ｌ＃１〜Ｌ＃ｍには、火災感知器１＃１１〜１＃ｎ１、〜、１＃１ｍ〜１＃ｎｍを接続している。感知器回線Ｌ＃１〜Ｌ＃ｍの先端部には、所定の抵抗を有する終端器３＃１〜３＃ｍを接続している。更に火災受信機２からは、各感知器回線Ｌ＃１〜Ｌ＃ｍにそれぞれ対応する地区音響線Ｂ＃１〜Ｂ＃ｍが導出され、そこに地区音響装置４＃１〜４＃ｍを接続している。
【００２１】
火災受信機２は、各感知器回線Ｌ＃１〜Ｌ＃ｍの信号線間を所定のフォーマットに従って短絡させた電流パルス信号を受信する受信機能を有する通信手段２１＃１〜２１＃ｍと、感知器の発報状況を表示し、操作を受け付けるために、火災感知器１＃ｘｙに対応したアドレス情報を表示するアドレス表示部２２、発報された回線に対応した回線番号を表示する回線表示部２４、押しボタンなどの操作部２８等を備えた表示／操作部２９と、通信手段２１＃１〜２１＃ｍや表示／操作部２９を制御する制御手段２３とを備えている。更に、周知の火災受信機と同様、発報受信手段２５、鳴動装置２６、移報信号線Ｍを介して発報を外部へ移報する移報手段２７などの構成要素も備えており、これらの機能は、周知の火災受信機の場合と同様である。
【００２２】
制御手段２３は、ソフトウェアにより次の処理を実行するマイコンによって形成されている。すなわち、火災を検知したいずれかの火災感知器１＃ｘｙから感知器回線Ｌ＃ｙを介してアドレス情報が送信されてきており、この送信を通信手段２１＃ｙによって検知してアドレス情報を受信したときには、そのアドレス情報から火災感知器１＃ｘｙを予め記憶しているアドレス情報と照合して判別し、回線表示部２４にはｙを示す情報を、アドレス表示部２２にはｘを示す情報を表示させる。ここに送信されてくるアドレス情報には、ｘを示す情報が含まれている。更に、その後、発報受信手段２５ｙによって感知器回線Ｌ＃ｙの短絡を検出したときには、鳴動装置２６を鳴動させ、更に感知器回線Ｌ＃ｙに対応する地区音響線Ｂ＃ｙを駆動して、地区音響装置４＃ｙを鳴動させるとともに、移報手段２７によって移送信号線Ｍを駆動して移報も行う。
【００２３】
図３は、上記の火災感知器１と火災受信機２の相互作用を説明するフロー図である。図において、左のフローは火災受信機２側の処理を示し、右のフローは火災感知器１側の処理を示している。なお、アドレス情報や発報は、フロー図では破線で示してある。
【実施例２】
【００２４】
ついで、他の構成とした火災感知器及び火災受信機の例を、図４に従って以下に説明する。実施例１と共通の構成要素はその作用も同一であるから、以下では実施例１と共通の参照符号をつけて、説明を略する。
【００２５】
この例では、図４の火災感知器１ＡのＣＰＵ１２３が次のようなソフトウェアの処理を実行することによって、発報制御部１２Ａを実現している。すなわち感知部１３によって、火災の発生を検知したときには、通信手段１２１Ａによって、感知器回線Ｌへ割り込み信号を送信し、その後に火災受信機からポーリング信号を受信したときには、アドレス情報１２２を返信し、更に感知器回線Ｌから発報許可信号を受信したときには、制御接点１１を駆動して、感知器回線Ｌを短絡させて発報する。これに応じて、通信手段１２１Ａには、感知器回線Ｌからポーリング信号や発報許可信号を受信する機能が必要であるが、この機能は感知器回線Ｌの電圧状態を通信信号として読み取るようにすれば、実現することができる。
【００２６】
図５は、上記の火災感知器１Ａを接続する火災受信機２Ａの基本構成と、これによって形成された防災システムを示している。火災受信機２Ａの通信手段２１Ａ＃１〜２１Ａ＃ｍは、各感知器回線Ｌ＃１〜Ｌ＃ｍの信号線間を所定のフォーマットに従って短絡させた電流パルス信号を受信する受信機能と、各感知器回線Ｌ＃１〜Ｌ＃ｍに所定のフォーマットで電圧信号を送出する送信機能とを有している。
【００２７】
制御手段２３Ａは、ソフトウェアにより次の処理を実行するマイコンによって形成されている。すなわち、制御手段２３Ａは、火災を検知したいずれかの火災感知器１Ａ＃ｘｙから感知器回線Ｌ＃ｙを介して割り込み信号が送信されてきており、これを通信手段２１Ａ＃ｙによって検出したときには、これに応答して、感知器回線Ｌ＃ｙに接続されている火災感知器１Ａ＃１ｙ〜１Ａ＃ｎｙに対してポーリング信号を送信する。これに応答した火災感知器１Ａ＃ｘｙからアドレス情報を受信したときには、そのアドレス情報を送信してきた火災感知器１Ａ＃ｘｙを予め記憶しているアドレス情報と照合し判別して、回線表示部２４にはｙを示す情報を、アドレス表示部２２にはｘを示す情報を表示させると共に、その火災受信機１Ａ＃ｘｙに発報許可信号を送信する。この後、感知器回線Ｌ＃ｙの短絡を検出したときには、鳴動装置２６を鳴動させ、更に感知器回線Ｌ＃ｙに対応する地区音響線Ｂ＃ｙを駆動して、地区音響装置４＃ｙを鳴動させるとともに、移報手段２７によって移送信号線Ｍを駆動して移報も行う。
【００２８】
図６は、上記の火災感知器１Ａと火災受信機２Ａの相互作用を説明するフロー図である。図において、左のフローは火災受信機２Ａ側の処理を示し、右のフローは火災感知器１Ａ側の処理を示している。なお、フロー図では、アドレス情報や発報などの通信を破線で示している。
【００２９】
なお、この例でもアドレス設定スイッチ１４を操作すれば、アドレス情報１２２が変更設定される点は、実施例１と同様である。
【図面の簡単な説明】
【００３０】
【図１】本発明による火災感知器の一例の基本構成を説明するブロック図である。
【図２】本発明による火災受信機並びに防災システムの一例の基本構成を説明するブロック図である。
【図３】本発明による防災システムの一例の処理フローを説明するフロー図である。
【図４】本発明による火災感知器の他例の基本構成を説明するブロック図である。
【図５】本発明による火災受信機並びに防災システムの他例の基本構成を説明するブロック図である。
【図６】本発明による防災システムの他例の処理フローを説明するフロー図である。
【符号の説明】
【００３１】
１、１Ａ          火災感知器
１１              制御接点
１２、１２Ａ      発報制御部
１２１、１２１Ａ  通信手段
１２２            アドレス情報
１２３            ＣＰＵ
１３              感知部
１４              アドレス設定スイッチ
２、２Ａ          火災受信機
２１、２１Ａ      通信手段
２２              アドレス表示部
２３、２３Ａ      制御手段
２４              回線表示部
２８              操作部
２９              表示／操作部
Ｌ                ２線式感知器回線
【図１】
2005215738.tif 000003
【図２】
2005215738.tif 000004
【図３】
2005215738.tif 000005
【図４】
2005215738.tif 000006
【図５】
2005215738.tif 000007
【図６】
2005215738.tif 000008